(57)【要約】【課題】  磁気テープと磁気ヘッドとの間の摩擦力を測定することができるとともに、磁気ヘッドにセンサ等を取り付ける必要がない磁気記録再生装置及び磁気テープの摩擦力測定方法を提供する。【解決手段】  磁気ヘッド１１の、磁気テープ１２と摺接する面１１ａが該磁気テープ１２の走行方向に対して傾斜するように該磁気ヘッド１１を磁気ヘッド駆動部１５によって駆動し、走行する磁気テープ１２と摺接する面１１ａを傾斜させた状態としたとき、磁気テープ１２の幅方向の変位に基づいて摩擦力を測定する。【選択図】  図１
2005141790.tif 000002
【特許請求の範囲】
【請求項１】
磁気テープと摺接する磁気ヘッドによって記録再生を行う磁気記録再生装置であって、
前記磁気ヘッドにおける、前記磁気テープと摺接する面が、該磁気テープの走行方向に対する垂直断面に見た状態で、傾斜するように該磁気ヘッドを駆動可能な磁気ヘッド駆動部を備えたことを特徴とする磁気記録再生装置。
【請求項２】
走行する磁気テープと、該磁気テープと摺接して記録再生を行う磁気ヘッドとに生じる摩擦力を測定する磁気テープの摩擦力測定方法であって、
前記磁気テープの走行方向に対する垂直断面に見た状態で、前記磁気テープと摺接する面が傾斜するように前記磁気ヘッドを駆動し、走行する前記磁気テープの幅方向の変位に基づいて前記摩擦力を測定することを特徴とする磁気テープの摩擦力測定方法。
【請求項３】
前記磁気テープの一方の面に記録されたサーボ信号を前記磁気ヘッドによって検出し、前記サーボ信号の変位に基づいて前記磁気テープの幅方向における変位量を測定することを特徴とする請求項２に記載の磁気テープの摩擦力測定方法。
【発明の詳細な説明】
【技術分野】
【０００１】
本発明は、磁気テープと摺接する磁気ヘッドによって記録再生を行う磁気記録再生装置及び磁気ヘッドと磁気テープとの間の摩擦力を測定する磁気テープの摩擦力測定方法に関する。
【背景技術】
【０００２】
従来より、磁気テープと磁気ヘッドの走行性に、磁気テープと磁気ヘッドとの摩擦力が重要な影響を与えることがわかっている。通常、磁気テープは、使用回数に応じて摩擦力が上昇していくため、摩擦力が所定範囲より大きくなりすぎたものは磁気テープが寿命であるとして、正常な磁気テープとは区別して記録再生を行わないようにしたいといった要望がある。
そこで、従来、磁気テープと磁気ヘッドとの摩擦力を測定する測定装置として、磁気ヘッド取付部にセンサを設けた測定装置などが知られている（例えば、特許文献１〜３参照）。
【０００３】
【特許文献１】特開平５−１８７９９３号公報
【特許文献２】特開平６−１６７４４０号公報
【特許文献３】特開平１０−２７４０２号公報
【発明の開示】
【発明が解決しようとする課題】
【０００４】
しかし、上記従来の測定装置のように磁気ヘッド取付部にセンサを設けた構造とすると、磁気ヘッド取付部に摩擦力を測定するための検出部材などを取り付ける分だけ部品点数が多くなり、装置の大型化、コストアップの要因になることが懸念されていた。
【０００５】
本発明は、このような事情に鑑みてなされたもので、その目的は、磁気テープと磁気ヘッドとの間の摩擦力を測定することができるとともに、磁気ヘッドにセンサ等を取り付ける必要がない磁気記録再生装置及び磁気テープの摩擦力測定方法を提供することにある。
【課題を解決するための手段】
【０００６】
本発明の上記目的は、磁気テープと摺接する磁気ヘッドによって記録再生を行う磁気記録再生装置であって、前記磁気ヘッドにおける、前記磁気テープと摺接する面が、該磁気テープの走行方向に対する垂直断面に見た状態で、傾斜するように該磁気ヘッドを駆動可能な磁気ヘッド駆動部を備えたことを特徴とする磁気記録再生装置によって達成される。
【０００７】
磁気記録再生装置は、磁気ヘッド駆動部によって磁気ヘッドを傾けることができる構成であり、磁気テープを走行させた状態で磁気ヘッドを傾斜させると、磁気テープと磁気ヘッドとが摺接する面同士において摩擦力の分布が傾斜方向に応じて変化し、走行する磁気テープが幅方向に変位する。このとき、この磁気テープの幅方向の変位量に基づいて、磁気テープの摩擦力を測定することができる。
このため、磁気テープに記録再生を行う前後において、磁気ヘッド駆動部によって磁気ヘッドを傾斜させて摩擦力を測定することができるうえ、磁気ヘッドに摩擦力を測定するための検出部材や測定部材を別途取り付けるといった構成とする必要がなく、低コスト化及び小型化を図ることができる。
【０００８】
また、本発明の上記目的は、走行する磁気テープと、該磁気テープと摺接して記録再生を行う磁気ヘッドとに生じる摩擦力を測定する磁気テープの摩擦力測定方法であって、前記磁気テープの走行方向に対する垂直断面に見た状態で、前記磁気テープと摺接する面が傾斜するように前記磁気ヘッドを駆動し、走行する前記磁気テープの幅方向の変位に基づいて前記摩擦力を測定することを特徴とする磁気テープの摩擦力測定方法によって達成される。
【０００９】
こうすれば、磁気テープに磁気記録再生装置において記録再生を行う前後において、磁気テープの摩擦力を測定するモードとして、磁気ヘッド駆動部によって磁気ヘッドを駆動させて摩擦力を測定することができる。
【００１０】
上記磁気テープの摩擦力測定方法は、磁気テープの一方の面に記録されたサーボ信号を磁気ヘッドによって検出し、サーボ信号の変位に基づいて磁気テープの幅方向における変位量を測定することが好ましい。
こうすれば、磁気テープの摩擦力を測定する場合に、予め磁気テープの所定位置に記録されているサーボ信号を磁気ヘッドで読み込むことによって、走行する磁気テープの幅方向の変位を測定することができる。このため、磁気テープの幅方向の変位をより正確に定量化することができ、磁気テープの摩擦力をより一層高い精度で測定することができる。
【発明の効果】
【００１１】
本発明によれば、磁気テープと磁気ヘッドとの間の摩擦力を測定することができるとともに、磁気ヘッドにセンサ等を取り付ける必要がない磁気記録再生装置及び磁気テープの摩擦力測定方法を提供できる。
【発明を実施するための最良の形態】
【００１２】
以下、本発明を実施するための最良の形態について、図面を参照して説明する。
図１は、本発明に係る磁気記録再生装置の一実施形態を説明するブロック図、図２は、磁気ヘッドを磁気テープに対して傾斜させるように駆動させる動作を模式的に示す、図１中矢印Ｘ方向に見た概略側面図である。なお、矢印Ｘで示す方向は磁気テープの走行方向に対して略垂直方向である。
図１に示すように、磁気記録再生装置１０は、磁気テープカートリッジから引き出されて走行機構によって走行する磁気テープ１２に磁気記録・再生をする磁気ヘッド１１を備えている。
【００１３】
磁気テープ１２は、図示しない一対のテープリールに巻装され、これらテープリールの一方又は両方を回転駆動部によって回動することで、テープリールに巻き取られるとともに該一対のテープリール間を走行する。
【００１４】
磁気ヘッド１１は、走行する磁気テープ１２に所定のテンションで摺接する位置に配置されている。このとき、磁気ヘッド１１の、磁気テープ１２と摺接する面が所定の接触圧力で磁気テープを厚さ方向に押圧している。
【００１５】
磁気記録再生装置の記録再生時には、磁気ヘッド１１が走行する磁気テープ１２に摺接するとともに、磁気テープ１２へ磁気信号を書き込むといった磁気記録や磁気テープ１２に磁気記録されている磁気信号を引き出す再生を行う。
【００１６】
図３に示すように、磁気テープ１２の表面には、複数のサーボバンド１２ａが形成され、これらサーボバンド１２ａにサーボ信号が記録されている。磁気ヘッド１１は、これらサーボバンド１２ａのサーボ信号を読み取ることができ、このサーボ信号に基づいて、走行する磁気テープ１２に対する幅方向（磁気テープ１２の走行方向と直交する方向）位置を調整し、適切な記録及び再生が行うため位置決めが行われる。
【００１７】
本実施形態の磁気記録再生装置１０には制御部１３が設けられている。制御部１３は、磁気ヘッド１１における、磁気テープ１２と摺接する面１１ａが、磁気テープ１２の走行方向に対する垂直断面を見た状態（図２に示す状態）で、所定の角度だけ傾斜するように、該磁気ヘッド１１を駆動させるように制御する。
【００１８】
制御部１３には、切換部１４が接続されている。切換部１４は、制御部１３へ切換信号を出力可能な構成である。切換部１４から切換信号を出力することで、磁気ヘッド１１による磁気テープ１２へ磁気記録するモード、又は、磁気ヘッド１１によって磁気テープ１２から読み込みする再生するモードに切換制御することができる。さらに、本実施形態の磁気記録再生装置１０において、切換部１４が磁気テープの摩擦力を測定するモードに切り換えるための出力信号を制御部１３へ出力する。
【００１９】
制御部１３には、アクチュエータ１５が接続されている。磁気テープの摩擦力を測定するモードに切り換えるには、制御部１３は、切換部１４からの切換信号に基づいて、アクチュエータ１５に駆動信号を出力する。そして、アクチュエータ１５は、磁気テープ１２の走行方向に対する垂直断面視において、該磁気テープとの摺接する面１１ａが傾くように、磁気ヘッド１１を駆動する構成である。
【００２０】
図２に示すように、本実施形態では、磁気テープ１２の摩擦力を測定する場合に、アクチュエータ１５が、磁気ヘッド１１を走行する磁気テープ１２に対して図２中時計回りの方向（図中矢印Ｒ方向）に傾斜するように駆動させる構成である。
【００２１】
具体的には、アクチュエータ１５が、通常の磁気記録・再生モードの状態で磁気ヘッド１１における磁気テープ１２と摺接する面と平行方向をＡ１とし、摩擦力測定モードの状態で磁気ヘッド１１における磁気テープ１２と摺接する面の平行方向をＡ２としたとき、方向Ａ１と方向Ａ２との傾斜角度Ｗが所定の範囲になるように磁気ヘッド１１を傾けることが可能な構成である。アクチュエータ１５は、磁気ヘッド駆動部材として機能する。
【００２２】
次に、本実施形態の磁気記録再生装置の作用を説明する。
一般的に、磁気テープ１２は、その表面に微細な凹凸が形成されているが、この凹凸は、磁気ヘッド１１に摺接することにより次第に削られ、この凹凸が削られると、該磁気テープ１２と磁気ヘッド１１の面１１ａとの接触面積が大きくなることに起因して磁気テープ１２と磁気ヘッド１１との摩擦力が高まる。そして、このような磁気テープ１２を磁気ヘッド１１に摺接させつつ走行させると、摩擦力摩擦力が所定値以上の場合には傾けられた磁気ヘッド１１に対して、その傾斜方向である上向きに引き上げられる現象が生じる。
【００２３】
そこで、本発明に係る磁気記録再生装置１０は、磁気記録再生をしていない状態で、磁気テープを走行させつつ、該磁気テープに摺接する磁気ヘッドを意図的に傾斜させることで、磁気テープと磁気ヘッドとが摺接する面同士における摩擦力の分布を傾斜方向に応じて変化させるものである。すると、図２に示すように、磁気テープと磁気ヘッドとが摺接する面同士において、図中下方部分が上方部分に比べて摩擦力が高くなり、磁気テープ１２が摩擦力の比較的低い上方側（図中矢印Ｂで示す方向）へずれるため、磁気テープ１２の、磁気ヘッド１１の面１１ａに対する幅方向位置が変位する。言い換えると、磁気ヘッド１１と磁気テープ１２との摺接する面における摩擦力の分布が傾斜に応じて変化し、所定の角度としたとき（本実施形態においては、傾斜角度Ｗ０．５°〜２°としたとき）に走行する磁気テープが幅方向に変位する。このとき、この磁気テープの幅方向の変位量に基づいて、磁気テープの摩擦力を測定することができる。このとき、制御部１３に、予め磁気ヘッド１１の傾斜角度Ｗ、磁気テープの幅方向の変位量及び摩擦力の関係式をデータとして入力しておくことができる。
本実施形態においては、上記傾斜角度とすることで、磁気テープと磁気ヘッドとの接触圧力が１ｋＰａ〜１０ｋＰａで、摩擦係数μが０．２〜０．４の場合に、磁気テープの幅方向の変位量が０．５μｍ〜５μｍとなるように設定した。
【００２４】
したがって、本実施形態の磁気記録再生装置１０によれば、磁気テープに記録再生を行う前後において、磁気ヘッド駆動部によって磁気ヘッドを傾斜させて摩擦力を測定することができるうえ、磁気ヘッドに摩擦力を測定するための検出部材や測定部材を別途取り付けるといった構成とする必要がなく、低コスト化及び小型化を図ることができる。
【００２５】
なお、アクチュエータ１５としては、例えば、ＰＺＴ（圧電素子）を用いることができ、磁気ヘッド１１の端部に取り付け、制御部１３による信号に応じて該圧電素子に電圧を加えることで磁気ヘッドを傾斜させる構成とすることができる。
【００２６】
また、本実施形態の磁気記録再生装置１０には、測定した摩擦力を記録するための摩擦力情報記録部（以下、記録部）１６が設けられていてもよい。記録部１６は、制御部１３に接続されており、制御部１３が磁気ヘッド１１からの読み取り信号に基づいて、磁気テープ１２の摩耗状態が高いことを示す信号を記録部１６へ出力する構成である。
【００２７】
通常、磁気テープ１２には、その端部付近に磁気記録・再生に使用しない不使用部分が存在する。磁気記録再生装置１０は、記録部１６を設けることで、この不使用部分に磁気ヘッドにより検出した摩擦力にかかる情報を該記録部１６によって記録する構成とすることができる。
【００２８】
具体的に、切換部１４が、磁気ヘッド１１が走行する磁気テープ１２の上記不使用部分に差し掛かった際には、切換部１４から制御部１３へ摩擦力を測定するモードへきりかえる出力信号を出力し、アクチュエータ１５によって磁気テープ１２との摺接面１１ａが傾斜するように磁気ヘッド１１を駆動させる。そして、磁気ヘッド１１によって検出した磁気テープ１２の変位に基づき、制御部１３において磁気テープ１２の摩擦力を測定し、測定された摩擦力にかかる情報を磁気記録として、上記不使用部分に同一の磁気ヘッド１１によって書き込むことができる構成である。
【００２９】
また、本実施形態の磁気記録再生装置１０は、上記記録部１６によって、磁気テープ１２を収容するテープカートリッジに設けられた図示しないメモリなどの情報記録媒体に、制御部１３からの磁気テープ１２の摩擦力にかかる信号を記録するように構成してもよい。さらに、摩擦力にかかる信号に基づいて、別途設けられたディスプレイなどの表示手段に、摩擦力を測定の対象となった磁気テープの摩擦力や今後記録再生を行うことを回避させる旨のメッセージを表示して使用者に知らせてもよい。
【００３０】
本実施形態の磁気記録再生装置１０は、切換部１４から制御部１３に切換信号が出力される上記構成に限られない。例えば、磁気テープ１２の所定位置（例えば、走行方向における両端部）のサーボ信号に摩擦力を測定するモードに切り換える信号を記録し、この信号を磁気ヘッド１１によって読み込むことで制御部１３がアクチュエータを駆動して該磁気ヘッドを傾斜させて磁気テープ１２の摩擦力を測定する構成としてもよい。
【００３１】
本発明に係る磁気テープの摩擦力測定方法は、本実施形態の磁気記録再生装置を用いることで好適に実施することができ、磁気ヘッド１１を傾け、磁気テープ１２の幅方向への変位を測定することにより、極めて容易に磁気テープ１２と磁気ヘッド１１との摩擦力を測定することができる。
【００３２】
なお、本発明は、前述した実施形態に限定されるものではなく、適宜な変形、改良などが可能である。
【図面の簡単な説明】
【００３３】
【図１】本発明の実施形態に係る磁気記録再生装置の構成を説明するブロック図である。
【図２】図１中の矢印Ｘ方向に見た状態を示す概略側面図である。
【図３】磁気テープに形成されたサーボバンドを説明する磁気テープの記録面の模式図である。
【符号の説明】
【００３４】
１０  磁気記録再生装置
１１  磁気ヘッド
１２  磁気テープ
１３  制御部
１４  切換部
１５  アクチュエータ（磁気ヘッド駆動部）
【図１】
2005141790.tif 000003
【図２】
2005141790.tif 000004
【図３】
2005141790.tif 000005